(57)【要約】      （修正有）【課題】番組制作を行う際に、編集映像素材を保管しているデータベース装置からそれを読み出さなくても、使用された映像素材の用途を確認することができるようにする。【解決手段】映像素材と映像素材の内容を記す映像素材メタデータと、番組構成表の内容を記す番組構成表メタデータと、映像素材の編集内容を記す編集メタデータとを保持するデータベース部と、入力された番組構成表を一意に特定する番組構成表ＩＤに対して、データベース部に保持され、且つ番組構成表ＩＤに関連付けられる映像素材メタデータ、番組構成表メタデータ、及び編集メタデータに基づき簡易番組再生メタデータの生成処理を実行する簡易番組再生メタデータ生成部とを備えるアーカイブ管理装置を提供する。【選択図】図１
2006042317.tif 000002
【特許請求の範囲】
【請求項１】
映像素材と前記映像素材の内容を記す映像素材メタデータと、
番組を構成する素材のカット点及び並び順を記す番組構成表メタデータと、
前記映像素材の編集区間及び特殊効果コマンドからなる編集内容を記す編集メタデータとを保持するデータベース部と、
入力された前記番組構成表を一意に特定する番組構成表ＩＤに対して、
前記データベース部に保持され、且つ前記番組構成表ＩＤに関連付けられる前記映像素材メタデータ、前記番組構成表メタデータ、及び前記編集メタデータに基づき簡易番組再生メタデータの生成処理を実行する簡易番組再生メタデータ生成部とを備えることを特徴とするアーカイブ管理装置。
【請求項２】
前記簡易番組再生メタデータ生成部は、
映像素材の再生タイミングについて記述する映像素材再生タイミング生成部を備え、
前記映像素材再生タイミング生成部は、
前記番組構成表を一意に特定する番組構成表ＩＤ及び前記番組構成表ＩＤに関連付けられる番組構成表メタデータを取得する番組構成表メタデータ取得部と、
前記番組構成表メタデータのカットループから１カット毎に抽出するカット抽出部と、
前記抽出した１カットから映像素材の情報を抽出する映像素材情報抽出部と、
前記映像素材情報抽出部で抽出した情報に従い映像再生コマンドを生成する映像再生コマンド生成部とを備えることを特徴とする請求項１に記載のアーカイブ管理装置。
【請求項３】
前記簡易番組再生メタデータ生成部は、編集内容の表示タイミングについて記述する編集内容表示タイミング生成部を備え、
前記編集内容表示タイミング生成部は、
前記番組構成表ＩＤに関連付けられる編集メタデータを取得する編集メタデータ取得部と、
前記編集メタデータを１項目毎に抽出する編集メタデータ抽出部と、
前記抽出した１項目の編集メタデータから編集内容を抽出する編集内容抽出部と、
前記抽出した編集内容に含まれる特殊効果コマンドを文字列情報に変換するコマンド変換部と、
前記変換された文字列情報を当該編集内容の編集区間と同様の期間に表示するための編集内容表示コマンドを生成する編集内容コマンド生成部とを備えることを特徴とする請求項１に記載のアーカイブ管理装置。
【請求項４】
前記簡易番組再生メタデータ生成部は、前記特殊効果コマンドと当該特殊効果コマンドの説明がされた文字列とを関連付けた文字列変換表を備え、前記コマンド変換部は前記文字列変換表を用いて特殊効果コマンドを文字列変換することを特徴とする請求項３に記載のアーカイブ管理装置。
【請求項５】
前記簡易番組再生メタデータ生成部は、前記映像素材再生タイミング生成部で生成される前記映像再生コマンドと前記編集内容表示タイミング生成部で生成される前記編集内容表示コマンドとを組み立てるコマンド組立部と、
前記コマンド組立部で組み立てられた前記映像再生コマンド及び前記編集内容表示コマンドを時間順にソートするソート部と、
前記ソートされた前記映像再生コマンド及び前記編集内容表示コマンドを備えた簡易番組再生メタデータを出力する簡易番組再生メタデータ出力部とを備えることを特徴とする請求項３に記載のアーカイブ管理装置。
【請求項６】
前記簡易番組再生メタデータ生成部は、生成された前記簡易番組再生メタデータを前記データベース部に登録することを特徴とする請求項１に記載のアーカイブ管理装置。
【請求項７】
さらに、簡易番組再生メタデータ生成起動部を備え、前記簡易番組再生メタデータ生成起動部は、前記映像素材メタデータの登録完了の通知、前記番組構成表メタデータの登録完了の通知あるいは前記編集メタデータの登録完了の通知を受けて前記簡易番組再生メタデータ生成部の制御をすることにより簡易番組再生メタデータの生成タイミングを制御することを特徴とする請求項１に記載のアーカイブ管理装置。
【請求項８】
前記アーカイブ管理装置は、簡易番組再生要求を受けて該当する前記簡易番組のストリーミングを送出するＡＶメディアストリーミング部を備えることを特徴とする請求項１に記載のアーカイブ管理装置。
【請求項９】
前記編集メタデータはＥＤＬメタデータであることを特徴とする請求項１に記載のアーカイブ管理装置。
【請求項１０】
前記番組構成表メタデータはＥＤＬメタデータであることを特徴とする請求項１に記載のアーカイブ管理装置。
【請求項１１】
請求項１に記載のアーカイブ管理装置と、
前記アーカイブ管理装置へ映像素材の検索を要求し、前記映像素材検索の結果に従い簡易番組再生メタデータを要求するブラウザ部と、
前記ブラウザ部で受信した前記簡易番組再生メタデータに従い簡易番組再生を要求し、簡易番組を再生させるマルチメディアプレーヤ部と、
前記簡易番組の再生時間をカウントするタイマ部とを備える映像素材検索参照装置と、からなるアーカイブ管理システム。
【請求項１２】
前記ブラウザ部は、前記映像素材検索の結果をＧＵＩに変換する表示部を備え、
前記表示部は、前記表示されている映像素材検索結果から、簡易番組再生メタデータが登録済みの映像素材に限り、前記映像素材の再生を要求する映像素材再生要求ボタンとともに、前記簡易番組の再生を要求する簡易番組再生要求ボタンとを表示することを特徴とする請求項１１に記載のアーカイブ管理システム。
【請求項１３】
前記表示部は、前記簡易番組再生要求ボタンを押した位置に対応する簡易番組再生メタデータを要求することを特徴とする請求項１２に記載のアーカイブ管理システム。
【請求項１４】
前記ブラウザ部は、取得した前記簡易番組再生メタデータを前記マルチメディアプレーヤ部に転送することを特徴とする請求項１１に記載のアーカイブ管理システム。
【請求項１５】
前記ブラウザ部は、前記簡易番組再生要求ボタンを押した位置に対応する映像素材情報を取得し、取得した前記映像素材情報を前記簡易番組再生メタデータとともにマルチメディアプレーヤ部に転送することを特徴とする請求項１１に記載のアーカイブ管理システム。
【請求項１６】
前記マルチメディアプレーヤ部は、転送された前記簡易番組再生メタデータに従い前記再生コマンドに該当する映像を再生する動画再生枠と、前記編集内容表示コマンドの文字列情報を表示する文字列表示枠とを備えることを特徴とする請求項１１に記載のアーカイブ管理システム。
【請求項１７】
前記マルチメディアプレーヤ部は、前記タイマ部のカウント情報を取得し、前記カウント情報に従い、前記動画再生枠で再生される前記簡易番組の映像と前記テキスト表示枠で表示される前記簡易番組の編集内容とを経時的に変化させることを特徴とする請求項１１に記載のアーカイブ管理システム。
【請求項１８】
前記文字列表示枠は、前記簡易番組再生メタデータに記述された、モザイク効果を表示するモザイク効果表示枠、テロップ効果を表示するテロップ効果表示枠、あるいは編集効果を表示する編集効果表示枠を備えることを特徴とする請求項１６に記載のアーカイブ管理システム。
【請求項１９】
前記マルチメディアプレーヤ部は、前記ブラウザ部から前記簡易番組再生メタデータとともに転送される前記映像素材情報を取得し、
前記映像素材情報を用いて、前記簡易番組再生メタデータの映像再生コマンドあるいはその直前の映像再生コマンドから前記簡易番組再生を要求及び再生することを特徴とする請求項１１に記載のアーカイブ管理システム。
【請求項２０】
コンピュータを、
映像素材と前記映像素材の内容を記す映像素材メタデータと、
番組を構成する素材のカット点及び並び順を記す番組構成表メタデータと、
前記映像素材の編集内容を記す編集メタデータとを保持するデータベース部と、
入力された前記番組構成表を一意に特定する番組構成表ＩＤに対して、
前記データベース部に保持され、且つ前記番組構成表ＩＤに関連付けられる前記映像素材メタデータ、前記番組構成表メタデータ、及び前記編集メタデータに基づき簡易番組再生メタデータの生成処理を実行する簡易番組再生メタデータ生成部として機能させるためのアーカイブ管理プログラム。
【発明の詳細な説明】
【技術分野】
【０００１】
本発明は、テレビ放送局で使用されるアーカイブ管理装置、アーカイブ管理システム及びアーカイブ管理プログラムに関する。
【背景技術】
【０００２】
日本では、２０００年のＢＳデジタル放送、２００３年の地上波デジタル放送とテレビ放送のデジタル化が推進され、放送形態の多様化が進んでいる。また、テレビ放送のデジタル化、放送形態の多様化に伴い、放送局の設備も従来のアナログ主体の番組制作からデジタル主体の番組制作に推移しつつある。従来の放送局の設備は、放送局内でテープメディアにより、撮影した映像素材をリニア編集装置で編集し、テープ用のカートマシンを用いて番組送出を行うのが主流であった。この運用形態がデジタル主体になると、撮影した映像素材をＨＤＤのようなランダムアクセスメディアを搭載したアーカイブ管理装置に蓄積し、ノンリニア編集装置からアーカイブ管理装置にオンラインでアクセスして編集し、完成した番組映像素材を送出装置へ転送して送出するといった運用形態をとることが想定される。このため、デジタル主体の新しい運用形態に対応するためにはデジタルデータを統合的に管理できるアーカイブ管理装置の必要性が高まると予想される。これに関連する技術としては、例えば、非特許文献１に記載されるような複数の映像素材、番組映像素材を蓄積し、この映像素材の検索、視聴機能を提供し、映像素材の二次利用を可能とするアーカイブ管理装置が提案されている。
【非特許文献１】人工知能学会誌、１８巻３号（２００３年５月）、「デジタルアーカイブ」ＮＨＫアーカイブス−制作から保存まで−  以下、図面を用いて従来のアーカイブ管理装置を使用する形態について説明する。図１８に示すように、放送局では番組制作を、撮影をする撮影班と、撮影された映像素材を編集する編集班とに大きく分け、アーカイブ管理装置１８０１を中心として番組を制作している。そして、報道班１８０２、スポーツ班１８０３、バラエティ班１８０４、ドラマ班１８０５等の撮影班は、撮影した映像素材をアーカイブ管理装置１８０１に登録する。一方、映像素材を編集する編集班１８０８〜１８１０は、ノンリニア編集装置等を用いて、オンラインでアーカイブ管理装置１８０１にアクセスし、登録されている映像素材を編集して番組を制作している。このように、アーカイブ管理装置を用いれば、番組制作を楽に行うことができる。
【０００３】
しかしながら、アーカイブ管理装置は、放送局内で共有しているので、様々な映像素材を管理しなければならない。映像素材を編集する各編集班は、アーカイブ管理装置が管理している映像素材群から自分の必要な映像素材を検索、選択して番組制作の作業を行っている。例えば、下記特許文献１では、映像素材とニュース原稿とを関連付けることについて記されており、検索結果の提示方法として映像素材と共にニュース原稿を表示させるアーカイブ管理装置が開示されている。また、下記特許文献２では、検索した映像素材の提示方法として映像素材に対する代表的な静止画と音声を共に提示するアーカイブ管理装置が開示されている。
【特許文献１】特開平９−１８４３２号公報
【特許文献２】特開２００３−２５６４３２公報
【発明の開示】
【発明が解決しようとする課題】
【０００４】
番組制作で利用する映像素材は新しく撮影してきた映像素材もあれば、かつて別の番組で使われた過去の映像素材も存在する。番組制作者は、過去の映像素材の用途を確認したいという要求がある。すなわち、キーワード等を用いて検索参照される映像素材について、その映像素材が過去の番組で使用されていた場合、映像素材はどのようなシーンに組み込まれ、どのような編集効果が施されたのかを確認したいという要求がある。番組制作者は使用済みの映像素材の用途を参考にすることにより、新規に制作する番組に過去の映像素材を組み込んだり、過去に編集された内容とは異なる編集を施すことができる。
【０００５】
従来、使用された映像素材の用途を確認する手段は、使用する映像素材を結合または編集して実際に制作した、通称、完パケと呼ばれる編集映像素材を保管しているデータベース装置からそれを読み出して確認している。一方で、新たに撮影されてくる映像素材は、別のデータベース装置にて管理されている。すなわち、アーカイブ管理装置は、撮影された映像素材を保管するデータベース装置と編集映像素材を保管するデータベース装置の二つのデータベース装置を管理しなければならず、使用された映像素材の用途を確認して番組制作を行う際には、アーカイブ管理装置内で作業が停滞してしまうという問題がある。
また、番組編集工程において、編集途中の番組を編集者以外の人間がプレビューするケースがある。この場合、編集機の設置された編集室以外の場所、例えば制作室のデスクやディレクタ、プロデューサの自宅などからネットワークを介して編集途中の番組映像をストリーミング等で受信して再生し、編集内容を確認する、というニーズがある。しかしながら、編集途中の番組映像は編集作業を行っている編集機の編集アプリケーションでしか再生実行ができないという課題がある。つまり、編集用アプリケーション上で付与された編集内容、例えばテロップやフェードイン・フェードアウトなどの映像効果、モザイク処理などは編集用アプリケーション上でしか実行が行えず、また、そのような編集内容を施した映像をプレビュー用に作成するには、編集用アプリケーション上でレンダリング処理（いわゆる映像編集のファイナライズであり、元となる映像に映像処理を加えて別の実体映像を生成する処理）を行う必要があり、その処理時間には、通常、完成映像の実時間からその数倍の時間を要す。従ってプレビューを要求してからプレビュー再生までに前記映像の実時間以上の時間の待ち時間を要する。従ってネットワークを介して編集途中の映像をプレビューするには要求元の装置ごとに高価な編集用アプリケーションを購入してインストールする必要がある。
【０００６】
本発明は、こうした問題に着目し、番組制作を行う際に、完パケを保管しているデータベース装置からそれを読み出さなくても、使用された映像素材の用途を確認することができ、また、停滞も起こさず、また編集用アプリケーションがなくとも編集途中の番組映像を他の装置の汎用映像プレーヤからプレビュー再生可能とさせるアーカイブ管理装置を提供することを目的とする。
【課題を解決するための手段】
【０００７】
本発明の請求項１に記載の発明は、映像素材と前記映像素材の内容を記す映像素材メタデータと、番組を構成する素材のカット点及び並び順を記す番組構成表メタデータと、前記映像素材の編集区間及び特殊効果コマンドからなる編集内容を記す編集メタデータとを保持するデータベース部と、入力された前記番組構成表を一意に特定する番組構成表ＩＤに対して、前記データベース部に保持され、且つ前記番組構成表ＩＤに関連付けられる前記映像素材メタデータ、前記番組構成表メタデータ、及び前記編集メタデータに基づき簡易番組再生メタデータの生成処理を実行する簡易番組再生メタデータ生成部とを備えることを特徴とするアーカイブ管理装置である。
【０００８】
本発明の請求項２に記載の発明は、請求項１に記載のアーカイブ管理装置について、前記簡易番組再生メタデータ生成部は、映像素材の再生タイミングについて記述する映像素材再生タイミング生成部を備え、前記映像素材再生タイミング生成部は、前記番組構成表を一意に特定する番組構成表ＩＤ及び前記番組構成表ＩＤに関連付けられる番組構成表メタデータを取得する番組構成表メタデータ取得部と、前記番組構成表メタデータのカットループから１カット毎に抽出するカット抽出部と、前記抽出した１カットから映像素材の情報を抽出する映像素材情報抽出部と、前記映像素材情報抽出部で抽出した情報に従い映像再生コマンドを生成する映像再生コマンド生成部とを備えることを特徴とする。
【０００９】
本発明の請求項３に記載の発明は、請求項１に記載のアーカイブ管理装置において、前記簡易番組再生メタデータ生成部は、編集内容の表示タイミングについて記述する編集内容表示タイミング生成部を備え、前記編集内容表示タイミング生成部は、前記番組構成表ＩＤに関連付けられる編集メタデータを取得する編集メタデータ取得部と、前記編集メタデータを１項目毎に抽出する編集メタデータ抽出部と、前記抽出した１項目の編集メタデータから編集内容を抽出する編集内容抽出部と、前記抽出した編集内容に含まれる特殊効果コマンドを文字列に変換するコマンド変換部と、前記変換された文字列情報を当該編集内容の編集区間と同様の期間に表示するための編集内容表示コマンドを生成する編集内容コマンド生成部とを備えることを特徴とする。
【００１０】
本発明の請求項４に記載の発明は、請求項３に記載のアーカイブ管理装置において、前記簡易番組再生メタデータ生成部は、前記特殊効果コマンドと当該特殊コマンドの説明がされた文字列とを関連付けた文字列変換表を備え、前記コマンド変換部は前記文字列変換表を用いて特殊効果コマンドを文字列変換することを特徴とする。
【００１１】
本発明の請求項５に記載のアーカイブ管理装置は、請求項３または４に記載のアーカイブ管理装置において、前記簡易番組再生メタデータ生成部は、前記映像素材再生タイミング生成部で生成される前記映像再生コマンドと前記編集内容表示タイミング生成部で生成される前記編集内容表示コマンドとを組み立てるコマンド組立部と、前記コマンド組立部で組み立てられた前記映像再生コマンド及び前記編集内容表示コマンドを時間順にソートするソート部と、前記ソートされた前記映像再生コマンド及び前記編集内容表示コマンドを備えた簡易番組再生メタデータを出力する簡易番組再生メタデータ出力部とを備えることを特徴とする。
【００１２】
本発明の請求項６に記載の発明は、請求項１に記載のアーカイブ管理装置において、前記簡易番組再生メタデータ生成部は、生成された前記簡易番組再生メタデータを前記データベース部に登録することを特徴とする。
【００１３】
本発明の請求項７に記載の発明は、請求項１に記載のアーカイブ管理装置において、さらに、簡易番組再生メタデータ生成起動部を備え、前記簡易番組再生メタデータ生成起動部は、前記映像素材メタデータの登録完了の通知、前記番組構成表メタデータの登録完了の通知あるいは前記編集メタデータの登録完了の通知を受けて前記簡易番組再生メタデータ生成部の制御をすることを特徴とする。これにより簡易番組再生メタデータの生成タイミングを制御することができる。
【００１４】
本発明の請求項８に記載の発明は、請求項１に記載のアーカイブ管理装置において、前記アーカイブ管理装置は、簡易番組再生要求を受けて該当する前記簡易番組のストリーミングを送出するＡＶメディアストリーミング部を備えることを特徴とする。
【００１５】
本発明の請求項９に記載の発明は、請求項１に記載のアーカイブ管理装置において、前記編集メタデータはＥＤＬメタデータであることを特徴とする。
【００１６】
本発明の請求項１０に記載の発明は、請求項１に記載のアーカイブ管理装置において、前記番組構成表メタデータはＥＤＬメタデータであることを特徴とするものである。
【００１７】
本発明の請求項１１に記載の発明は、請求項１に記載のアーカイブ管理装置と、前記アーカイブ管理装置へ映像素材の検索を要求し、前記映像素材検索の結果に従い簡易番組再生メタデータを要求するブラウザ部と、前記ブラウザ部で受信した前記簡易番組再生メタデータに従い簡易番組再生を要求し、簡易番組を再生させるマルチメディアプレーヤ部と、前記簡易番組の再生時間をカウントするタイマ部とを備える映像素材検索参照装置と、からなるアーカイブ管理システムである。
【００１８】
本発明の請求項１２に記載の発明は、請求項１１に記載のアーカイブ管理システムにおいて、前記ブラウザ部は、前記映像素材検索の結果をＧＵＩに変換する表示部を備え、前記表示部は、前記表示されている映像素材検索結果から、簡易番組再生メタデータが登録済みの映像素材に限り、前記映像素材の再生を要求する映像素材再生要求ボタンとともに、前記簡易番組の再生を要求する簡易番組再生要求ボタンとを表示することを特徴とする。
【００１９】
本発明の請求項１３に記載の発明は、請求項１２に記載のアーカイブ管理システムにおいて、前記表示部は、前記簡易番組再生要求ボタンを押した位置に対応する簡易番組再生メタデータを要求することを特徴とする。
【００２０】
本発明の請求項１４に記載の発明は、請求項１１に記載のアーカイブ管理システムにおいて、前記ブラウザ部は、取得した前記簡易番組再生メタデータを前記マルチメディアプレーヤ部に転送することを特徴とする。
【００２１】
本発明の請求項１５に記載の発明は、請求項１１に記載のアーカイブ管理システムにおいて、前記ブラウザ部は、前記簡易番組再生要求ボタンを押した位置に対応する映像素材情報を取得し、取得した前記映像素材情報を前記簡易番組再生メタデータとともにマルチメディアプレーヤ部に転送することを特徴とする。
【００２２】
本発明の請求項１６に記載の発明は、請求項１１に記載のアーカイブ管理システムにおいて、前記マルチメディアプレーヤ部は、転送された前記簡易番組再生メタデータに従い前記再生コマンドに該当する映像を再生する動画再生枠と、前記編集内容表示コマンドの文字列情報を表示する文字列表示枠とを備えることを特徴とする。
【００２３】
本発明の請求項１７に記載の発明は、請求項１１に記載のアーカイブ管理システムにおいて、前記マルチメディアプレーヤ部は、前記タイマ部のカウント情報を取得し、前記カウント情報に従い、前記動画再生枠で再生される前記簡易番組の映像と前記テキスト表示枠で表示される前記簡易番組の編集内容とを経時的に変化させることを特徴とする。
【００２４】
本発明の請求項１８に記載の発明は、請求項１６に記載のアーカイブ管理システムにおいて、前記文字列表示枠は、前記簡易番組再生メタデータに記述された、モザイク効果を表示するモザイク効果表示枠、テロップ効果を表示するテロップ効果表示枠、あるいは編集効果を表示する編集効果表示枠を備えることを特徴とする。
【００２５】
本発明の請求項１９に記載の発明は、請求項１１に記載のアーカイブ管理システムにおいて、前記マルチメディアプレーヤ部は、前記ブラウザ部から前記簡易番組再生メタデータとともに転送される前記映像素材情報を取得し、前記映像素材情報を用いて、前記簡易番組再生メタデータの映像再生コマンドあるいはその直前の映像再生コマンドから前記簡易番組再生を要求及び再生することを特徴とする。
【００２６】
本発明の請求項２０に記載の発明は、コンピュータを、映像素材と前記映像素材の内容を記す映像素材メタデータと、番組を構成する素材のカット点及び並び順を記す番組構成表メタデータと、前記映像素材の編集内容を記す編集メタデータとを保持するデータベース部と、入力された前記番組構成表を一意に特定する番組構成表ＩＤに対して、前記データベース部に保持され、且つ前記番組構成表ＩＤに関連付けられる前記映像素材メタデータ、前記番組構成表メタデータ、及び前記編集メタデータに基づき簡易番組再生メタデータの生成処理を実行する簡易番組再生メタデータ生成部として機能させるためのアーカイブ管理プログラムである。
【発明の効果】
【００２７】
本発明によれば、番組制作を行う際に、完パケを保管しているデータベース装置からこれを読み出さなくても、完パケに相当する簡易番組を再生することにより、使用された映像素材の用途を確認することができるという効果が得られる。また、撮影班と編集班が同時にアーカイブ管理装置を利用することがあっても停滞が少ないという効果が得られる。
【発明を実施するための最良の形態】
【００２８】
以下、図面を用いて本発明を実施するための最良の形態を説明する。主に実施例１ではアーカイブ管理装置について説明し、実施例２ではアーカイブ管理システムについて説明する。実施例１ではアーカイブ管理装置に登録される各種メタデータを用いて簡易番組再生メタデータを生成し、各種メタデータと関連付けて保管するアーカイブ管理装置について説明する。また、実施例２では映像素材検索参照装置を用いてアーカイブ管理装置に保管されている映像素材について検索し、さらにその結果から簡易番組を再生するアーカイブ管理システムについて説明する。なお、本発明は、以下の各実施例に何ら限定されるものではなく、本発明の要旨を逸脱しない範囲であれば、適宜に変更でき、実施できるものとする。
【実施例１】
【００２９】
本発明の第１実施例を説明する。図１はアーカイブ管理装置とその周辺装置を示し、アーカイブ管理装置１１０の周辺装置には、映像素材登録装置１２０、番組構成編集装置１３０、ノンリニア編集装置１４０、テロップ編集装置１５０、映像素材検索参照装置１６０がある。アーカイブ管理装置１１０には、映像素材登録装置１２０から映像素材及び映像素材メタデータが登録され、番組構成編集装置１３０から番組構成表メタデータが登録され、ノンリニア編集装置１４０またはテロップ編集装置１５０から編集メタデータが登録される。これら映像素材及び各種メタデータはアーカイブ管理装置１１０内のデータベース部１１２で保持される。また、アーカイブ管理装置１１０では、映像素材メタデータ、番組構成表メタデータ、あるいは編集メタデータに基づき簡易番組再生メタデータの生成処理を実行して簡易番組再生メタデータをデータベース部１１２に登録する。また、アーカイブ管理装置１１０は、映像素材検索参照装置１６０から映像素材の検索要求を受けて検索を行い、その結果を元にさらに簡易番組の再生要求があった場合には、簡易番組を再生する。映像素材登録装置１２０は、映像を撮影し、また、撮影した映像の素材内容を記す映像素材メタデータを生成する。映像素材と映像素材メタデータはアーカイブ管理装置１１０に登録される。番組構成編集装置１３０は、番組構成を決定して番組構成表を作成するとともに番組構成表の内容を記す番組構成表メタデータを生成する。番組構成表メタデータはアーカイブ管理装置１１０に登録される。ノンリニア編集装置１４０は、データベース部１１２で保管されている映像素材を編集するものであり、映像素材のカットや結合等を行う。また、テロップ編集装置１５０は、編集した映像素材にテロップや編集効果等の特殊効果を施す。ノンリニア編集装置１４０やテロップ編集装置１５０では映像素材を編集するとともに編集内容を記す編集メタデータを生成する。編集メタデータはアーカイブ管理装置１１０に登録される。本実施例で生成される編集メタデータはEDL（Edit Decision List）メタデータである。映像素材検索参照装置１６０は、アーカイブ管理装置１１０へ映像素材の検索を要求して、その応答を受け、また、その結果を元にさらに映像素材や簡易番組の再生を要求して、映像素材のストリーミングを行い、それを再生するものである。
【００３０】
つづいて、アーカイブ管理装置１１０の内部構成について説明する。図１に示すように、アーカイブ管理装置１１０は、簡易番組再生メタデータ生成部１１１、データベース部１１２、簡易番組再生メタデータ生成起動部１１３、映像素材登録部１１４、番組構成表登録部１１５、編集データ登録部１１６、メタデータ検索部１１７、及びＡＶメディアストリーミング部１１８を備えている。簡易番組再生メタデータ生成部１１１は、映像素材メタデータ、番組構成表メタデータ、及び編集メタデータに基づき簡易番組再生メタデータの生成処理を実行し、生成した簡易番組再生メタデータはデータベース部１１２に登録する。当該ブロックのさらに詳細な内部構成については後述する。データベース部１１２では、映像素材、映像素材メタデータ、番組構成表メタデータ、編集メタデータ、及び簡易番組再生メタデータを保持する。データベース部１１２はRAID（Redundant Arrays of Independent Disks）やカートマシン等を用いる。簡易番組再生メタデータ生成起動部１１３は、簡易番組再生メタデータ生成部１１１で生成する簡易番組再生メタデータの生成タイミングを制御するものである。生成タイミングは、例えば、映像素材メタデータの登録完了の通知、番組構成表メタデータの登録完了の通知、あるいは編集メタデータの登録完了の通知があり、これを受けて簡易番組再生メタデータの生成タイミングを制御する。映像素材登録部１１４は、映像素材登録装置１２０から登録される映像素材と映像素材メタデータを受け、これらをデータベース部１１２及び簡易番組再生メタデータ生成起動部１１３に送る。番組構成表登録部１１５は、番組構成編集装置１３０から登録される番組構成表メタデータを受け、これをデータベース部１１２及び簡易番組再生メタデータ生成起動部１１３に送る。編集データ登録部１１６は、ノンリニア編集装置１４０やテロップ編集装置１５０から登録される編集メタデータを受け、これをデータベース部１１２及び簡易番組再生メタデータ生成起動部１１３に送る。メタデータ検索部１１７は、映像素材検索参照装置１６０から映像素材の検索要求を受けて該当するメタデータをデータベース部１１２から検索する。ＡＶメディアストリーミング部１１８は、映像素材検索参照装置１６０から映像素材や簡易番組の再生の要求を受けてデータベース部１１２に保持されている映像素材のストリーミングを送出する。また、ＡＶメディアストリーミング部１１８は、映像素材検索参照装置１６０から簡易番組再生の要求を受けてデータベース部１１２に保持されている簡易番組再生メタデータに該当する映像素材のストリーミングを送出する。
【００３１】
次に、映像素材登録装置１２０、番組構成編集装置１３０、ノンリニア編集装置１４０、テロップ編集装置１５０で生成される映像素材や各種メタデータをアーカイブ管理装置１１０に登録する手順を説明する。映像素材や各種メタデータは番組制作の流れに従って生成されて登録される。図３に示すように、番組制作はステップ１乃至４を有する。
【００３２】
ステップ１では映像素材登録装置１２０が撮影した映像の登録を行う。上記したように、映像素材登録装置１２０では映像を撮影し、映像素材の内容を記す映像素材メタデータを生成する。映像素材メタデータについて説明する。映像素材メタデータは、図４に示すように、映像素材を一意に特定する素材ＩＤ４０１、映像素材の保管先を示すロケーション４０２、映像を撮影した撮影者４０３、撮影した機器情報を示す撮影機器４０４、映像素材のタイトル４０５、映像素材の撮影時間４０６、映像素材に関する内容を文字列で記した素材の説明４０７、撮影対象４０８、撮影場所４０９、撮影日時４１０、映像に出演した出演者４１１、及び撮影者や番組制作者が映像素材に関して自由に記述することができるメモ４１２を備えている。素材ＩＤ４０１は、映像素材の登録時に映像素材登録装置１２０またはアーカイブ管理装置１１０が自動的に発番して登録する。また、ロケーション４０２はデータベース部１１２へのパスを登録する。また、撮影機器４０４、撮影時間４０６、撮影日時４１０等は映像素材登録装置１２０が自動的に登録することができるものとする。他にも映像素材登録時に映像素材登録装置１２０の登録画面で各種情報を登録することができる。映像素材登録装置１２０で生成される映像素材メタデータは映像素材登録部１１４に入力され、映像素材登録部１１４は映像素材と映像素材メタデータをデータベース部１１２に登録する。また、映像素材登録部１１４は映像素材メタデータを簡易番組再生メタデータ生成起動部１１３に入力する。
【００３３】
ステップ２では番組構成編集装置１３０が番組構成表の作成を行う。番組構成表は、図５に示すように、シーケンス、シーン及びカットを階層的に管理し、それぞれ、映像の内容や時間等を割り当てて作成する。つづいてステップ３では映像素材登録装置１２０が登録した映像素材メタデータから映像素材の内容や時間等を番組構成表に埋め込む。例えば、符号５０１は、カット内容５１８＝“悪天候の日本海荒波が押し寄せる”は、シーン情報５１６＝“日本海上の一隻の漁船を横から捕らえ、だんだんアップに近づいていく”に属し、このシーンはシーケンス５１３＝“オープニング”に属していることを示す。なお、番組構成表の決定は映像素材を登録する前でも後でも良い。つまり、本実施例では、映像素材を登録した後で番組構成表を作成し、登録した映像素材を番組構成表に埋め込むようにしているが、先に番組構成表を作成し、番組構成表に従って映像素材を撮影し、それを埋め込むようにしても良い。番組構成編集装置１３０では作成された番組構成表に従い番組構成表の内容を記す番組構成表メタデータを生成する。
【００３４】
番組構成編集装置１３０で生成される番組構成表メタデータについて説明する。番組構成表メタデータは、図６に示すように、ヘッダ部６０１とボディ部６０２とに分かれている。ヘッダ部６０１は、番組構成表を一意に特定する番組構成表ＩＤ６１１、番組構成表の保管先を示すロケーション６１２、番組タイトル６１３、番組構成表の完成度合いを示す構成バージョン６１４、番組構成表に対して番組制作者の自由記述ができるコメント６１５、番組構成表の編集を開始した編集開始日時６１６、及び番組構成表の編集を更新した編集更新日時６１７を備えている。番組構成表ＩＤ６１１は素材ＩＤ４０１と同様に、番組構成表メタデータの登録時に番組構成編集装置１３０またはアーカイブ管理装置１１０が自動的に発番して登録する。また、構成バージョン６１４は番組構成表の登録更新がされる度に番号を昇順するようにしている。編集開始日時６１６や編集更新日時６１７についても、番組構成編集装置１３０またはアーカイブ管理装置１１０が登録する。他にも番組構成編集装置１３０の編集画面で番組タイトル６１３やコメント６１５等の各種情報を登録することができる。一方、ボディ部６０２は、番組構成表におけるシーケンス６０３、シーン６０４及びカット６０５を階層的に管理し、それぞれ、映像の内容や時間等を割り当てている。シーケンス情報は、シーケンスの番号を記すシーケンスＮｏ６１８、シーケンスの番組内の開始時間カウントを示す開始時間６１９と、当該シーケンスの時間長を示す継続時間６２０、当該シーケンスに関する記述情報であるシーケンス情報６２１、及びシーケンスに属するすべてのシーン情報からなる。シーケンスＮｏ６１８、開始時間６１９、及びシーケンス情報６２１は、番組構成表のＮｏ５１１、開始時間５１２、及びシーケンス５１３に相当する。また、シーン情報は、シーケンス内のシーンの番号を記すシーンＮｏ６２２と、シーンの番組内の開始時間カウントを示す開始時間６２３、シーンの時間長を示す継続時間６２４、シーンに関する記述情報であるシーン情報６２５、及びシーンに属するすべてのカット情報からなる。シーンＮｏ６２２、開始時間６２３、及びシーン情報６２５は、番組構成表のシーンＮｏ５１４、開始時間５１５、及びシーン情報５１６に相当する。また、カット情報は、シーン内のカットの番号を記すカットＮｏ６２６、カットに関する記述情報であるカット内容６２７、カットに使用された映像素材の素材ＩＤ６２８、カットの番組内の開始時間カウントを示す開始時間６２９、カットの時間長を示す継続時間６３０、映像素材の実際に利用されている時間カウントを示すＩｎ点６３１、最終カウントを示すＯｕｔ点６３２、及びカットに対して施されたすべての特殊効果情報６３３からなる。カットＮｏ６２６、カット内容６２７、素材ＩＤ６２８、開始時間６２９、及び特殊効果情報６３３は、番組構成表のカットＮｏ５１７、カット内容５１８、素材ＩＤ５１９、開始時間５２０、及び編集効果５２１に相当する。なお、Ｉｎ点６３１、Ｏｕｔ点６３２及び特殊効果情報６３３等は、ステップ４で行われる映像素材の編集作業に従って付与される。番組構成編集装置１３０で生成される番組構成表メタデータは番組構成表登録部１１５に入力され、番組構成表登録部１１５は番組構成表メタデータをデータベース部１１２に登録する。また、番組構成表登録部１１５は番組構成表メタデータを簡易番組再生メタデータ生成起動部１１３に入力する。
【００３５】
なお、本実施例では、番組の構成を分かりやすく説明するために番組の構成どおりに各映像素材を並べ、それぞれＩｎ点及びＯｕｔ点を決定する作業を番組構成編集装置１３０を用いて行い、その結果として番組構成表メタデータが生成されるとしたが、番組構成編集装置１３０を用いずに、ノンリニア編集機１４０により直接映像素材を切り貼り、つまり素材の並び替え、各素材のＩｎ点及びＯｕｔ点の決定を行うこともできる。この場合番組構成メタデータは図６のデータ構造を持つとは限らず、編集メタデータのデータ構造を持つことになる。
【００３６】
ステップ４ではノンリニア編集装置１４０やテロップ編集装置１５０が映像素材の編集作業を行う。ステップ４はノンリニア編集装置１４０を用いてデータベース部１１２で保管されている映像素材のカットや結合等の編集を行うステップ４−１と、テロップ編集装置１５０を用いて編集した映像素材にテロップや編集効果等の特殊効果を施すステップ４−２に分かれる。ステップ４で編集された編集映像素材が実際に番組で使用される映像であり、これを完パケと呼んでいる。完パケはデータベース部１１２以外のデータベース（図示しない）で保持される。また、ノンリニア編集装置１４０またはテロップ編集装置１５０では映像素材を編集するとともに編集内容を記す編集メタデータを生成する。本実施例ではEDL（Edit Decision List）メタデータを生成する。
【００３７】
ノンリニア編集装置１４０またはテロップ編集装置１５０で生成される編集メタデータについて説明する。図７及び図８に示すように、編集メタデータは各編集装置が出力するものであり、フォーマットそのものは標準化されておらず編集装置メーカ特有のデータ構造を持つ。図７に示す編集メタデータはテロップ編集装置１５０によって生成、出力されたものである。符号７１０に示す通り、編集メタデータは番組構成表ＩＤ７１０と各種編集項目７２０のループからなる。編集項目は映像素材ＩＤ７２１と、元の映像素材内で実際に利用された場所を記すオリジナルＩｎ点７２２及びオリジナルＯｕｔ点７２３と、番組内で組み込まれている場所を示す番組Ｉｎ点７２４と番組Ｏｕｔ点７２５と、編集対象となった種別が映像であるか音声であるかまたその両方であるかを示す対象７２６と、Ｉｎ点とＯｕｔ点の間にどのような特殊効果を施したのかを示す特殊効果種別７２７と、編集装置の特殊効果コマンド７２８を備えている。例えば符号７３０は、映像素材ＩＤ＝０１２３４５の映像素材のうち、当該映像素材の時間カウント“００：０１：００〜００：０１：０１”の間の映像部分に対して特殊効果を行ったことを示し、番組では“００：００：００〜００：００：０１”で用いる。また、特殊効果は“テロップ”付けを行ったことを示し、“ＸＸ,ＹＹ,“新潟県○×港”,Ｆｏｎｔ,Ｃｏｌｏｒ”のコマンドを発行している。これはつまり、ＸＸ軸、ＹＹ軸上に“新潟県○×港”という文字列を、Ｆｏｎｔと文字の色を指定して映像に付け加えていることを示す。また、図８に示す編集メタデータはノンリニア編集装置１４０によって生成、出力されたものである。符号８１０に示す通り、編集メタデータは、図７に示した編集メタデータと同様、番組構成表ＩＤ８１０と各種編集項目８２０のループからなる。例えば符号８３０は、映像素材ＩＤ＝０１２３４９の映像素材のうち、当該映像素材の時間カウント“００：０１：００〜００：０１：０３”の間の映像部分に対して特殊効果を行ったことを示し、番組では“００：０１：５７〜００：０２：００”で用いる。また、特殊効果は“編集効果”を行ったことを示し、“ＦａｄｅＯｕｔ,Ｂｌａｃｋ”のコマンドを発行している。これはつまり、画面を黒色にフェードアウトする編集効果を施すことを示す。ノンリニア編集装置１４０やテロップ編集装置１５０で生成される編集メタデータは編集データ登録部１１６に入力され、編集データ登録部１１６は、編集メタデータをデータベース部１１２に登録する一方、簡易番組再生メタデータ生成起動部１１３に入力する。
【００３８】
簡易番組再生メタデータ生成起動部１１３には、映像素材メタデータ、番組構成表メタデータ、あるいは編集メタデータが入力される。簡易番組再生メタデータ生成起動部１１３は、各種メタデータの登録完了の通知を受けて簡易番組再生メタデータ生成部１１１の起動判断を行う。ここで、簡易番組再生メタデータ生成起動部１１３の起動判断について説明する。例えば、簡易番組再生メタデータ生成起動部１１３は、番組制作におけるステップ３の終了直前のタイミング、すなわち番組構成表登録部１１５から番組構成表メタデータの新規登録や更新登録があった場合に生成起動を判断する。このケースは番組が完成していなくとも簡易的に組んだ構成で構成表中の素材を連続して視聴する要望にこたえるものである。また、簡易番組再生メタデータ生成起動部１１３は、番組制作ステップ４−１、４−２終了直前のタイミング、すなわち各映像編集装置から編集メタデータの新規登録や更新登録があった場合に生成起動を判断する。このケースは各映像編集装置以外の端末から番組編集効果を映像と合わせて簡易的に確認する要求にこたえるものである。この他にも簡易番組再生メタデータ生成起動部１１３は、映像素材登録部１１４から映像素材メタデータの新規登録、更新登録があった場合に生成起動を判断する。このケースは、番組構成表の登録後に映像素材の新規登録や更新登録がされる場合の要求に応えるものである。さらに、この他にも簡易番組再生メタデータ生成起動部１１３は、番組構成表ＩＤの登録があった場合に生成起動を判断する。簡易番組再生メタデータ生成起動部１１３は、番組構成編集装置１３０とのインタフェースを備え、番組構成編集装置１３０から番組構成表ＩＤを指定して番組制作完成指示または完パケ転送要求を受信する。この要求によって簡易番組再生メタデータ生成起動部１３０は完パケが作成されたものと判断し、番組構成表ＩＤを持つ番組に対して簡易番組再生メタデータの生成要求を簡易番組再生メタデータ生成部１１３に送る。このように、簡易番組再生メタデータ生成処理起動部１１３は、各種メタデータの登録完了の通知、あるいは番組構成表ＩＤの登録を受けて起動判断を行い、番組構成表ＩＤとともに簡易番組再生メタデータ生成要求を簡易番組再生メタデータ生成部１１１へ送ることにより、簡易番組再生メタデータ生成部１１１は簡易番組再生メタデータの生成処理を実行する。
【００３９】
次に簡易番組再生メタデータ生成部１１１の内部構成を説明する。図２に示すように、簡易番組再生メタデータ生成部１１１は、映像素材の再生タイミングについて記述する映像素材再生タイミング生成部２１０と、編集内容の表示タイミングについて記述する編集内容表示タイミング生成部２２０と、映像素材再生タイミング生成部２１０で生成される映像再生コマンドと編集内容表示タイミング生成部２２０で生成される編集内容コマンドとを組み立てるコマンド組立部２３１と、コマンド組立部２３１で組み立てられた映像再生コマンド及び編集内容コマンドを時間順にソートするソート部２３２と、ソートされた映像再生コマンド及び編集内容コマンドを備えた簡易番組再生メタデータを出力する簡易番組再生メタデータ出力部２３３とを備えている。また、映像素材再生タイミング生成部２１０は、番組構成表ＩＤとそれに関連付けられる番組構成表メタデータを取得する番組構成表メタデータ取得部２１１と、番組構成表メタデータのカットループから１カット毎に抽出するカット抽出部２１２と、抽出した１カットから映像素材の情報を抽出する映像素材情報抽出部２１３と、映像素材情報抽出部２１３で抽出した情報に従い映像再生コマンドを生成する映像再生コマンド生成部２１４とを備えている。また、編集内容表示タイミング生成部２２０は、番組構成表ＩＤに関連付けられる編集メタデータを取得する編集メタデータ取得部２２１と、編集メタデータを１項目毎に抽出する編集メタデータ抽出部２２２と、抽出した１項目の編集メタデータから編集内容を抽出する編集内容抽出部２２３と、抽出した編集内容に含まれるコマンドを文字列に変換するコマンド変換部２２５と、抽出した編集内容及び変換された文字列に従い編集内容コマンドを生成する編集内容コマンドを生成する編集内容コマンド生成部２２６とを備えている。また、編集内容表示タイミング生成部２２０は、コマンドとコマンドの説明がされた文字列とを関連付けた文字列変換表２２４を備えており、コマンド変換部２２５は文字列変換表２２４を用いてコマンドを文字列に変換する。文字列変換表２２４については後述する。
【００４０】
つづいて簡易番組再生メタデータの生成処理の動作について図９を用いて説明する。上記したように、簡易番組再生メタデータ生成起動部１１３は、各種メタデータの登録完了の通知、あるいは番組構成表ＩＤの登録を受けて起動判断を行い、番組構成表ＩＤとともに簡易番組再生メタデータ生成要求を簡易番組再生メタデータ生成部１１１へ送る。簡易番組再生メタデータ生成部１１１は、番組構成表ＩＤと簡易番組再生メタデータ生成要求を受信することにより、簡易番組再生メタデータの生成処理を実行する（Ｓ９０１）。番組構成表ＩＤと簡易番組再生メタデータ生成要求は、番組構成表メタデータ取得部２１１に送られ、番組構成表メタデータ取得部２１１は、番組構成表ＩＤを持つ番組構成表メタデータを取得する（Ｓ９０２）。取得した番組構成表ＩＤまたは番組構成表メタデータを用いて、簡易番組再生メタデータのヘッダ部を生成する（Ｓ９０３）。ヘッダ部では番組構成表ＩＤを付与し、簡易番組再生画面のレイアウトを決定する。例えば、図１１に示す簡易番組再生メタデータのヘッダ部１１１０は番組構成表ＩＤに＜ｐｒｏｇｒａｍ  ｉｄ＝“９３２４”＞を付与し、レイアウトは＜ｒｅｇｉｏｎ  ｉｄ＝＞を４種類使用することを示す。本実施例では映像素材再生用の枠として＜ｒｅｇｉｏｎ  ｉｄ＝“ｍｏｖｉｅ”＞を使用し、残りの３種類は編集内容表示用の枠として＜ｒｅｇｉｏｎ  ｉｄ＝“ｋｏｕｋａ”＞を使用。なお、編集メタデータの数、つまり編集効果の数に応じて枠の数を変更させても良い。
【００４１】
つづいて簡易番組再生メタデータのボディ部を生成する。ボディ部１１２０では映像素材再生タイミングを記す映像再生コマンド１１２１と、編集内容表示タイミングを記す編集内容コマンド１１２２を生成する。映像再生コマンド１１２１の生成は、番組構成表メタデータ取得部２１１が取得した番組構成表メタデータを読み出してカット抽出部２１２に送り（Ｓ９０４）カット抽出部２１２では番組構成表メタデータのカットループから１カットにあたる部分の情報を抽出する（Ｓ９０５）。例えば図６の番組構成表メタデータによると、符号６２６乃至６３３の部分を抽出する。つづいてカット抽出部２１２は抽出した１カットの情報を映像素材情報抽出部２１３に送り、映像素材情報抽出部２１３は１カットの情報から映像素材情報を抽出する（Ｓ９０６）。映像素材情報には、素材ＩＤ６２８、Ｉｎ点６３１、及びＯｕｔ点６３２等がある。映像素材情報抽出部２１３は、抽出した映像素材情報を映像再生コマンド生成部２１４に送り、映像再生コマンド生成部２１４は映像素材情報に関連付けられている映像素材メタデータ、及び映像素材メタデータに記されているロケーション等を取得して、映像再生コマンドを生成する（Ｓ９０７）。例えば、映像素材情報に素材ＩＤ６２８が送られた場合、素材ＩＤ６２８に関連付けられている映像素材メタデータを取得でき、また、映像素材メタデータに記されているロケーション４０２により、データベース部１１２で保持されている映像素材を取得することができる。映像再生コマンド生成部２１４で生成された１カットに対する映像再生コマンド１１２１１は、簡易番組再生メタデータのボディ部１１２０の映像再生コマンド１１２１にコマンドの一つとして記される（Ｓ９０８）。簡易番組再生メタデータへの映像再生コマンドの記載は映像再生コマンド生成部２１４で生成された映像再生コマンドをコマンド組立部２３１に送ることで記される。これにより、番組構成表メタデータの１カットに対する映像再生コマンドの生成が終了する。またこの時、シーケンスまたはシーン内のカットループに次のカット項目がある場合は、カット項目がなくなるまでステップ９０５乃至９０８の処理を行い（Ｓ９０９）、カット項目がない場合は、次に簡易番組再生メタデータのボディ部の編集内容コマンド１１２２を生成する。編集内容コマンドの生成に移るため、映像再生コマンド生成部２１４は、番組構成表ＩＤを編集内容表示タイミング生成部２２０の編集メタデータ取得部２２１に送る。
【００４２】
なお、本実施例において、素材の映像再生コマンドの生成を番組構成編集装置１３０によって生成された番組構成表メタデータを用いたが、番組を構成する素材のカット繋ぎをノンリニア編集機において行った結果となる編集メタデータを用いてもよい。この場合、編集メタデータは図８に示す編集メタデータと同様にカット毎の映像素材情報８３０を持ち、そのうち特殊効果種別８２７、コマンド８２８のデータが登録されていないデータ構造となる。
【００４３】
編集メタデータ取得部２２１では番組構成表ＩＤを持つ編集メタデータを取得する（Ｓ９１０）。取得した編集メタデータの記述内容をテキスト表示するための表示枠を決定する（Ｓ９１１）。表示枠はステップ９０３で生成したヘッダ部に記されている表示枠を一つ割り当てる。例えば、図１１に示されている簡易番組再生メタデータのヘッダ部１１１０は、編集内容表示用の枠として＜ｒｅｇｉｏｎ  ｉｄ＝“ｋｏｕｋａ”＞を３種類備えており、１種類の編集メタデータをテキスト表示するために、表示枠を一つ割り当てる。表示枠の割り当てについては、編集メタデータの処理順にしてもよいし、編集メタデータ内の特殊処理種別に応じて事前に表示枠を関連付けても良い。
【００４４】
編集内容コマンド１１２２の生成は、編集メタデータ取得部２２１が取得した編集メタデータを読み出して編集メタデータ抽出部２２２が１項目毎に抽出する（Ｓ９１２）。例えば図７の編集メタデータによると、符号７３０の部分を抽出する。つづいて編集メタデータ抽出部２２２は抽出した１項目の編集メタデータを編集内容抽出部２２３に送り、編集内容抽出部２２３は１項目の編集メタデータから編集内容を抽出する（Ｓ９１３）。図７の編集メタデータによると、番組Ｉｎ点７２４、番組Ｏｕｔ点７２５、特殊効果種別７２７及びコマンド情報７２８等が抽出される。抽出された編集内容はコマンド変換部２２５に送られ、コマンド変換部２２５は、文字列変換表２２４を用いてコマンド情報７２８を文字列に変換する（Ｓ９１４）。
【００４５】
ここで文字列変換表について説明する。図１０に示すように、文字列変換表は、コマンドとコマンドの説明がされた文字列とを関連付けた表である。例えば、符号１００１は特殊効果種別＝“編集効果”である場合に文字列変換し、符号１００２は、編集メタデータ内のコマンドを文字列変換することを規定している。また、符号１１０３はコマンド及び引数と出力文字列とを関連付けており、符号１１０４はコマンド＝“ＦａｄｅＩｎ”、及び引数＝“Ｃｏｌｏｒ”は、出力文字列＝““Ｃｏｌｏｒ”色にフェードインしました”に文字列変換して出力することを示し、符号１１０５はコマンド＝“ＦａｄｅＯｕｔ”、及び引数＝“Ｃｏｌｏｒ”は、出力文字列＝““Ｃｏｌｏｒ”色にフェードアウトしました”に文字列変換して出力することを示している。例えば、図８に示す編集メタデータを取得し、符号８３０の部分を抽出した場合、抽出する編集内容は番組Ｉｎ点８２４＝“００：０１：５７”、番組Ｏｕｔ点８２５＝“００：０２：００”、特殊効果種別８２７＝“編集効果”、及びコマンド情報８２８＝“ＦａｄｅＯｕｔ、Ｂｌａｃｋ”である。そしてこの編集内容がコマンド変換部２２５に入力されると、コマンド変換部２２５では文字列変換表２２４を用いてコマンド情報８２８＝“Ｂｌａｃｋ色にフェードアウトしました”に変換する。なお、本実施例では、コマンド情報の文字列への変換を特殊効果種別が編集効果となっている場合にのみ行うので、特殊効果種別がテロップ効果となっている場合には、文字列変換されず、コマンドがそのまま使用される。
【００４６】
文字列変換表２２４を用いて変換された文字列あるいはコマンドを用いて編集内容コマンドを生成する（Ｓ９１５）。例えば、図７に示す編集メタデータの符号７３０を抽出した場合、＜ｔｅｘｔｓｔｒｅａｍ  ｂｅｇｉｎ＝“００：００：００．０ｓ”ｅｎｄ＝“００：００：０１．０ｓ”ｒｅｇｉｏｎ＝“ｋｏｕｋａ１”ｄａｔａ＝“ＸＸ軸，ＹＹ軸「新潟県○×港」”，ｆｏｎｔ＝Ｆｏｎｔ，ｃｏｌｏｒ＝Ｃｏｌｏｒ／＞が編集内容コマンドとして生成される。また、図８に示す編集メタデータの符号８３０を抽出した場合、＜ｔｅｘｔｓｔｒｅａｍ  ｂｅｇｉｎ＝“００：０１：５７．０ｓ”ｅｎｄ＝“００：０２：００．０ｓ”ｒｅｇｉｏｎ＝“ｋｏｕｋａ２”ｄａｔａ＝“Ｂｌａｃｋ色にフェードアウトしました”／＞が編集内容コマンドとして生成される。編集内容コマンド生成部２２６で生成された編集内容コマンド１１２２１は簡易番組再生メタデータのボディ部１１２０の編集内容コマンド１１２２にコマンドの一つとして記される（Ｓ９１６）。例えば、図１１に示す簡易番組再生メタデータのボディ部１２２０の編集内容コマンド１２２２には符号１１２２１や１１２２２が記される。簡易番組再生メタデータへの編集内容コマンドの記載は編集内容コマンド生成部２２６で生成された編集内容コマンドをコマンド組立部２３１に送ることで記される。これにより、編集メタデータの１項目に対する編集内容コマンドの生成が終了する。またこの時、抽出した編集メタデータに次の項目がある場合は、項目がなくなるまでステップ９１２乃至９１６の処理を行い（Ｓ９１７）、他の種類の編集メタデータがある場合も、編集メタデータがなくなるまでステップ９１０乃至９１７の処理を行う（Ｓ９１８）。以上の処理を行うことにより、映像再生コマンド及び編集内容コマンドがそれぞれ生成され、コマンド組立部２３１に送られる。コマンド組立部２３１は、それぞれのコマンドを組み立ててソート部２３２に送る。ソート部２３２は、組み立てられたそれぞれのコマンドを時間順にソートして簡易番組が時間順に再生できるようにする（Ｓ９１９）。それぞれのコマンドがソートされることにより、簡易番組再生メタデータの生成は終了し、簡易番組再生メタデータは簡易番組再生メタデータ出力部２３３に送られる。簡易番組再生メタデータ出力部２３３は、生成された簡易番組再生メタデータをデータベース部１１２に送り、データベース部１１２では簡易番組再生メタデータを各種メタデータと関連付けて保持する。図１２に示すように、データベース部１１２内では、映像素材メタデータ、番組構成表メタデータ、編集メタデータ、及び簡易番組再生メタデータを関連付けて管理する。番組構成表メタデータと映像素材メタデータとは映像素材ＩＤ等によって関連付けられる。また、番組構成表メタデータと編集メタデータとは特殊効果等によって関連付けられる。さらに、番組構成表メタデータと簡易番組再生メタデータとは番組構成表ＩＤによって関連付けられる。すなわち、番組構成表メタデータは、映像素材メタデータ、編集メタデータ、及び簡易番組再生メタデータを関連付けて管理することができる。
【００４７】
以上、本実施例は、アーカイブ管理装置に登録される映像素材メタデータ、番組構成表メタデータ、及び編集メタデータを用いて、映像再生コマンド及び編集内容コマンドを有する簡易番組再生メタデータを生成し、これら各種メタデータを関連付けてデータベースに保管することができる。なお、本実施例で説明した動作は、アーカイブ管理装置内のコンピュータがアーカイブ管理装置内の記録媒体（図示しない）に記録したアーカイブ管理プログラムを実行して処理を行っている。
【実施例２】
【００４８】
上記実施例１で説明したように、データベース部１１２には、映像素材メタデータ、番組構成表メタデータ、編集メタデータ、及び簡易番組再生メタデータを関連付けて保持している。本実施例では、アーカイブ管理装置に保管されている映像素材について映像素材検索参照装置を用いて検索し、さらにその結果から簡易番組を再生することについて説明する。
【００４９】
はじめに映像素材検索参照装置１６０を説明する。図１７に示すように、映像素材検索参照装置１６０は、アーカイブ管理装置１１０へ映像素材の検索を要求し、映像素材検索の結果に従い簡易番組再生メタデータを要求するブラウザ部１６１と、ブラウザ部１６１で受信した簡易番組再生メタデータに従い簡易番組再生を要求し、簡易番組を再生させるマルチメディアプレーヤ部１６２と、簡易番組の再生時間をカウントするタイマ部１６３とを備えている。
【００５０】
以下、映像素材検索参照装置１６０を用いて、映像素材の検索処理を行う動作について説明する。はじめに、映像素材検索参照装置１６０のブラウザ部１６１では検索ＧＵＩ（Graphical User Interface）を表示し、検索ＧＵＩを用いてアーカイブ管理装置１１０のメタデータ検索部１１７に対して映像素材の検索要求を出力する（Ｓ１７０１）。図１３に示すように、映像素材検索前の検索ＧＵＩ１３１０には、キーワードを入力するボックス１３１１、及び検索実行ボタン１３１２が表示され、ユーザがキーボードやマウス等の入力手段を介してボックス１３１１内にキーワードを入力し、検索実行ボタン１３１２を押す操作をすることにより、入力されたキーワードが検索キーとして映像素材の検索要求が出力される。映像素材検索要求を受けたメタデータ検索部１１７はデータベース部１１２から検索キーワードを含んだ映像素材メタデータや番組構成表メタデータ等を検索する（Ｓ１７０２）。検索対象となる項目は各種メタデータの文字列部分が考えられる。例えば、番組構成表メタデータの場合は番組タイトル６１３、コメント６１５、シーケンス情報６２１、シーン情報６２５、カット内容６２７等から検索し、映像素材メタデータの場合は撮影者４０３、タイトル４０５、素材の説明４０７、撮影対象４０８、撮影場所４０９等から検索する。データベース部１１２は該当した映像素材メタデータや番組構成表メタデータ等を検索結果リストとして生成し（図１４参照）、これをメタデータ検索部１１７に送る（Ｓ１７０３）。メタデータ検索部１１７はデータベース部１１２から送られた検索結果リストをブラウザ部１６１に送る（Ｓ１７０４）。図１５に示すように、ブラウザ部１６１は映像素材検索の結果をＧＵＩに変換する表示部１５１０を備え、表示部１５１０は、表示されている映像素材検索結果から映像素材の再生を要求する映像素材再生要求ボタン１５１１、及び簡易番組の再生を要求する簡易番組再生要求ボタン１５１２を表示する。ユーザがキーボードやマウス等の入力手段を介して映像素材再生要求ボタン１５１１を押すことにより、アーカイブ管理装置１１０のＡＶメディアストリーミング部１１８に対して映像素材のストリーミングを要求する。例えば、映像素材再生要求ボタン１５１３を押した場合は、素材ＩＤ＝“０１２３４５”の映像素材のストリーミングを要求する。ＡＶメディアストリーミング部１１８は、データベース部１１２に保管されている映像素材を取得し、これをブラウザ部１６１に送る。ブラウザ部１６１は取得した映像素材をマルチメディアプレーヤ１６２に転送することで、マルチメディアプレーヤ１６２で映像素材を再生することができる。一方、ユーザがキーボードやマウス等の入力手段を介して簡易番組再生要求ボタン１５１２を押すことにより、アーカイブ管理装置１１０のメタデータ検索部１１７に対して簡易番組再生メタデータを要求する（Ｓ１７０５）。例えば、簡易番組再生要求ボタン１５１４を押した場合は、素材ＩＤ＝“０１２３４５”を使用している簡易番組再生メタデータを要求する。メタデータ検索部１１７は、簡易番組再生要求ボタン１５１２を押した位置に対応する映像素材ＩＤを使用している番組構成表メタデータをデータベース部１１２から検索し、さらにその番組構成表ＩＤを使用している簡易番組再生メタデータをデータベース部１１２から検索する（Ｓ１７０６）。データベース部１１２は該当した簡易番組再生メタデータをメタデータ検索部１１７に送る（Ｓ１７０７）。メタデータ検索部１１７は、簡易番組再生メタデータを取得し、これをブラウザ部１６１に送る（Ｓ１７０８）。さらにブラウザ部１６１は、簡易番組再生メタデータをマルチメディアプレーヤ部１６２に転送する（Ｓ１７０９）。マルチメディアプレーヤ部１６２はＡＶメディアストリーミング部１６２に対して簡易番組再生メタデータに記載されている映像素材のストリーミングを要求する（Ｓ１７１０）。ＡＶメディアストリーミング部１１８は、映像素材のストリーミングに従いデータベース部１１２に保管されている映像素材を取得する（Ｓ１７１１、Ｓ１７１２）。ＡＶメディアストリーミング部１１８は取得した映像素材をマルチメディアプレーヤ部１６２に転送する（Ｓ１７１３）。また、その一方、マルチメディアプレーヤ部１６２は、タイマ部１６３に対してカウントを０（ゼロ）にセットするよう要求し（Ｓ１７１４）、応答を受ける（Ｓ１７１５）。これにより、マルチメディアプレーヤ部１６２は、取得した映像素材と簡易番組再生メタデータを用いて簡易番組を再生することができる。
【００５１】
マルチメディアプレーヤ部１６２で再生する簡易番組について説明する。図１６に示すように、マルチメディアプレーヤ部１６２は、簡易番組再生メタデータの映像再生コマンドに従い簡易番組の映像を再生する動画再生枠１６０１と、簡易番組再生メタデータの編集内容コマンドに従い簡易番組の編集内容を表示するテキスト表示枠１６０２とを備えている。また、マルチメディアプレーヤ部１６２は、タイマ部１６３のカウント情報を取得し、カウント情報に従い、動画再生枠１６０１で再生される簡易番組の映像とテキスト表示枠１６０２で表示される簡易番組の編集内容とを経時的に変化させるようにしている。また、テキスト表示枠１６０２は、簡易番組再生メタデータに記述された、モザイク効果を表示するモザイク効果表示枠１６０３、テロップ効果を表示するテロップ効果表示枠１６０４、及び編集効果を表示する編集効果表示枠１６０５を備えており、それぞれの編集内容コマンドにしたがい経時的に変化する。なお、本実施例では、マルチメディアプレーヤ部１６２にタイマ部１６３から取得するカウント情報を表示するカウンタ１６０６を備えており、映像素材の再生タイミングや編集内容の表示タイミングについて容易に把握することができる。
【００５２】
なお、ステップ１７０９において、簡易番組再生メタデータをマルチメディアプレーヤ部１６２に転送する際、簡易番組再生要求ボタン１５１２を押した位置に対応する映像素材情報を取得し、取得した映像素材情報を簡易番組再生メタデータとともにマルチメディアプレーヤ部１６２に転送するようにしても良い（Ｓ１８０９’）。すなわち、マルチメディアプレーヤ部１６２は、ブラウザ部１６１から簡易番組再生メタデータとともに転送される映像素材情報を取得し、映像素材情報を用いて、簡易番組再生メタデータの対応する映像再生コマンドあるいはその直前の映像再生コマンドから映像素材を要求及び再生するようにしても良い。例えば図１５において、ブラウザ部１６１に表示される映像素材検索結果からユーザが映像素材ＩＤ＝０１２３４５に興味を持ち、当該映像素材の番組再生ボタン１５１４を押した場合、当該映像素材の情報をマルチメディアプレーヤ部１６２に転送することで、簡易番組再生メタデータの映像再生コマンドにおいて、その映像素材が使用されている場所またはその手前からストリーミングを行うようにする。これにより、映像素材検索結果からユーザが興味を持った映像素材や番組があった場合、ボタンを押した位置から簡易番組を再生することができ、番組中での映像素材の用途をすばやく知ることができる。
【００５３】
以上、本実施例は、映像素材検索参照装置を用いてアーカイブ管理装置に保管されている映像素材について検索して、その結果から、簡易番組再生メタデータにリンクでき、完パケに相当する簡易番組を再生することができる。これにより、完パケを保管しているデータベース装置にアクセスしなくても使用された映像素材の用途を確認することができる。なお、本実施例で説明した動作は、アーカイブ管理装置及び映像素材検索参照装置内のコンピュータがそれぞれの装置の記録媒体（図示しない）に記録したプログラムを実行して処理を行っている。
【産業上の利用可能性】
【００５４】
本発明に係るアーカイブ管理装置は、番組制作システムにおいて番組映像素材を管理するシステムに適用できる。
【００５５】
本発明は、図面に示す好ましい実施例に基づいて説明されてきたが、当業者であれば、この発明を容易に変更及び改変し得る事は明らかであり、そのような変更部分も発明の範囲に含まれるものである。
【図面の簡単な説明】
【００５６】
【図１】本発明の実施例１に係るアーカイブ管理装置の内部構成とその周辺装置を示すブロック図である。
【図２】前記実施例１における簡易番組再生メタデータ生成部の内部構成を示すブロック図である。
【図３】前記実施例１における番組制作の工程を示す図である。
【図４】前記実施例１における映像素材メタデータの構造を示す図である。
【図５】前記実施例１における番組構成表を示す図である。
【図６】前記実施例１における番組構成表メタデータの構造を示す図である。
【図７】前記実施例１における編集メタデータの構造を示す図である。
【図８】前記実施例１における編集メタデータの構造を示す図である。
【図９】前記実施例１における簡易番組再生メタデータ生成部の生成処理工程を示すフローチャートである。
【図１０】前記実施例１における文字列変換表を示す図である。
【図１１】前記実施例１における簡易番組再生メタデータの構造を示す図である。
【図１２】前記実施例１における関連付けて保持されている各種メタデータの関係を示す図である。
【図１３】本発明の実施例２における映像素材検索を行う前のブラウザを示す図である。
【図１４】前記実施例２における映像素材検索結果のリストを示す図である。
【図１５】前記実施例２における映像素材検索結果を得たブラウザを示す図である。
【図１６】前記実施例２におけるマルチメディアプレーヤを示す図である。
【図１７】前記実施例２における映像素材検索参照装置及びアーカイブ管理装置間の処理工程を示すシーケンス図である。
【図１８】従来のアーカイブ管理装置を使用したアーカイブ管理システムを示す図である。
【符号の説明】
【００５７】
１１０  アーカイブ管理装置
１１１  簡易番組再生メタデータ生成部
１１２  データベース部
１１３  簡易番組再生メタデータ生成起動部
１１４  映像素材登録部
１１５  番組構成表登録部
１１６  編集データ登録部
１１７  メタデータ検索部
１１８  ＡＶメディアストリーミング部
１２０  映像素材登録装置
１３０  番組構成編集装置
１４０  ノンリニア編集装置
１５０  テロップ編集装置
１６０  映像素材検索参照装置
１６１  ブラウザ部
１６２  マルチメディアプレーヤ部
１６３  タイマ
２１０  映像素材再生タイミング生成部
２１１  番組構成表メタデータ取得部
２１２  カット抽出部
２１３  映像素材情報抽出部
２１４  映像再生コマンド生成部
２２０  編集内容表示タイミング生成部
２２１  編集メタデータ取得部
２２２  編集メタデータ抽出部
２２３  編集内容抽出部
２２４  文字列変換表
２２５  コマンド変換部
２２６  編集内容コマンド生成部
２３１  コマンド組立部
２３２  ソート部
２３３  簡易番組再生メタデータ出力部
１３１１  キーワード入力ボックス
１３１２  検索実行ボタン
１６０１  動画再生枠
１６０２  テキスト表示枠
１６０３  モザイク表示枠
１６０４  テロップ効果表示枠
１６０５  編集効果表示枠
１６０６  カウンタ
【図１】
2006042317.tif 000003
【図２】
2006042317.tif 000004
【図３】
2006042317.tif 000005
【図４】
2006042317.tif 000006
【図５】
2006042317.tif 000007
【図６】
2006042317.tif 000008
【図７】
2006042317.tif 000009
【図８】
2006042317.tif 000010
【図９】
2006042317.tif 000011
【図１０】
2006042317.tif 000012
【図１１】
2006042317.tif 000013
【図１２】
2006042317.tif 000014
【図１３】
2006042317.tif 000015
【図１４】
2006042317.tif 000016
【図１５】
2006042317.tif 000017
【図１６】
2006042317.tif 000018
【図１７】
2006042317.tif 000019
【図１８】
2006042317.tif 000020